(57)【特許請求の範囲】
【請求項１】
開口部を有する外板と、
車両長手方向に配置され、前記外板の車内側に接合される取付フランジを有する複数の外板横骨部材と、
前記外板の車内側であって、前記開口部の周縁に設けられるシアプレートとを備え、
前記複数の外板横骨部材のうち、前記開口部に向かって延在する外板横骨部材の端部が、 前記シアプレートの端部に突き当てられ、
前記開口部に向かって延在する外板横骨部材の取付フランジと前記シアプレートとは、前記外板に対して車両長手方向に連続して溶接される、鉄道車両用側構体。
【請求項２】
前記外板横骨部材の前記取付フランジ部と前記シアプレートとは、同じ板厚である、請求項１記載の鉄道車両用構体。
【請求項３】
前記外板は、車両長手方向に研磨加工が施され、
前記外板横骨部材の前記取付フランジと前記シアプレートとは、前記外板に対してレーザ溶接により接合され、
前記レーザ溶接による溶接線が、前記取付フランジ及び前記シアプレートにおいて車両長手方向に沿って連続的に延びる、請求項１に記載の鉄道車両用側構体。
【請求項４】
前記シアプレートに対して車内側であって、前記開口部周縁に設けられる補強枠部材をさらに備え、
前記外板横骨部材は、
前記取付フランジ部と、前記外板に対して離間する頭部とを有し、
前記補強枠部材は、
前記開口部の周縁に設けられる外枠部と、前記外枠部から連続して形成され前記外板に対して略直交方向に延びる接続枠部と、前記接続枠部から連続して形成され前記外板に対して略平行に延びる内枠部とを有し、
前記複数の外板横骨部材のうち、前記開口部に向かって延在する外板横骨部材の前記頭部と、前記補強枠部材の前記内枠部とが接合される、請求項１に記載の鉄道車両用側構体。
【請求項５】
前記補強枠部材の前記外枠部と前記シアプレートとの間には、空間部が形成されている、請求項４に記載の鉄道車両用側構体。
【請求項６】
前記補強枠部材の前記外枠部と前記シアプレートとの間には、焼け止め部材が設けられている、請求項４に記載の鉄道車両用側構体。
【請求項７】
前記補強枠部材の前記外枠部は、前記シアプレートに接合されている、請求項４に記載の鉄道車両用側構体。
【請求項８】
前記シアプレートのうち、前記開口部に向かって延在する外板横骨部材の端部と前記開口部との間であって、前記外板横骨部材の前記頭部の幅に対応する部分が、車内側に突出する、請求項４に記載の鉄道車両用側構体。
【請求項９】
前記補強枠部材の前記外枠部は、前記シアプレートに接合され、
前記シアプレートは、前記外枠部が接合される部分だけ前記外板から離れて浮き上がった中空突部を有する、請求項４に記載の鉄道車両用側構体。
【請求項１０】
前記シアプレートのうち、前記開口部に向かって延在する外板横骨部材の端部と前記開口部との間であって、前記外板横骨部材の前記頭部の幅に対応する部分の厚さが、当該部分以外よりも厚い厚肉部である、請求項４に記載の鉄道車両用側構体。
【請求項１１】
開口部を有する外板と、車両長手方向に配置される外板横骨部材と、前記開口部の周縁に設けられるシアプレートとを備えた鉄道車両用側構体の製造方法であって、
前記外板に前記開口部を形成し、
形成された前記開口部の周縁でかつ車内側に前記シアプレートを配置し、
前記開口部に向かって延在する前記外板横骨部材の端部を、前記シアプレートの端部に突き当てて、当該外板横骨部材を配置し、
車両長手方向に沿って、前記外板横骨部材から前記シアプレートを経て少なくとも前記開口部へ至るように連続的にレーザビームを照射して、前記外板と前記外板横骨部材、前記外板と前記シアプレートとを接合する、鉄道車両用側構体の製造方法
【発明の詳細な説明】
【技術分野】
【０００１】
本発明は、鉄道車両用側構体及びその製造方法、とくにそれらの外枠（例えばドアフレーム、窓枠など）を備えていない開口部回りに関するものである。
【背景技術】
【０００２】
従来より、鉄道車両用構体として、塗装が不要で、メンテナンスが容易で、腐食もないなどの多くの利点を有するステンレス鋼製のステンレス構体が用いられている。そのようなステンレス構体としては、図２２（ａ）に示す軽量ステンレス構体２０１（外板＋骨組み＋外板横骨部材）や、図２２（ｂ）に示すダブルシートステンレス構体２０２（外板＋一体プレス成形内板）のほか、いわゆるダブルスキンタイプのステンレス構体が知られている（例えば特許文献１参照）。
【０００３】
そして、鉄道車両用構体において、外板と外板横骨部材との接合には、熱歪みを低減する観点から、抵抗スポット溶接が多用されている。
【０００４】
一般の鉄道車両用構体、とくに側構体は強度設計上いくつかの留意点を有する。ここで、側構体とは、単数又は複数の側外板パネルにより構成されるものをいい、側外板パネルとは、外板に対し外板横骨部材が接合されて一体化されたものをいう。
【０００５】
車体自重・乗客により負荷される垂直荷重Ｆ１により、図２３（ａ）に示すように、側外板パネル１００は主として面内せん断作用を受ける。また、連結器を通じての車端圧縮荷重Ｆ２により、図２３（ｂ）に示すように、面内軸圧縮・面内曲げ作用も負荷される。強度上留意すべき破壊モードは、第１には側外板パネルの全体座屈である。
【０００６】
一般に、外板が広範囲で圧縮作用を受ける部位（例えば車端圧縮荷重時の車体中央腰板下部）では、図２３（ｃ）に示すように、所要の面外剛性をもつ防撓材である外板横骨部材１０１を外板１０２の内側に接合することが行われている。
【０００７】
また、一般に、鉄道車両の側構体は構体長手方向の圧縮作用を大きく受けるので、構体長手方向に沿って外板の内側に外板横骨部材を設けるのが普通である。外板が広範囲でせん断を受ける部位、例えば垂直荷重時における台車直上の戸袋部では、外板横骨部材を構体長手方向に対し４５度の角度で外板に接合するのが理想であるが、そのような角度を持たせて接合することは製造上煩雑であるので、実際には横骨部材を水平方向（構体長手方向）あるいは垂直方向に配置している。なお、座屈強度上はどちらも同等である。
【０００８】
しかし、前述したようなステンレス構体では、いくつかの課題がある。
【０００９】
(i)第１の課題は、座屈強度である。
【００１０】
前述したように、外板と外板横骨部材との接合には、熱歪み低減の観点から、抵抗スポット溶接が多用されるが、既打点への分流を避けるためにその打点ピッチは通常５０〜８０mm程度である。この場合、横骨部材にうまく応力が分散せずに理論どおりの座屈強度を得られないことがある。つまり、防撓パネルとしての面外曲げ剛性が理論値よりも低下し、想定より低い荷重で全体座屈を引き起こす可能性がある。外板横骨部材に平行な方向の圧縮に対してスポット溶接点間で外板が座屈するおそれがあり、このような局部座屈に対しても理論上の座屈強度より劣る。
【００１１】
例えば、後述する座屈強度の考え方を参照すればわかるように、外板横骨部材１０１のピッチＬ１０１を８０mmとし（図２３（ｃ）参照）、これと平行な方向に外板に圧縮応力が作用するとき、外板横骨部材が外板に連続して接合されていれば、概算で１６０MPaまで耐え得るのに、外板横骨部材が外板に８０mmピッチでスポット溶接されているとすれば、わずか６０MPa程度までしか耐えられない。また、圧接によるスポットまわりの歪みにより外板に初期歪みが生じ、これによっても局部の座屈強度が大きく低下する。
【００１２】
(ii)第２の課題は、応力集中部における永久変形（引張側）、あるいは局部座屈（圧縮側）である。
【００１３】
側外板には、側外板の開口部における隅部において応力集中が生じる。とくに通勤車用の側構体には窓、出入口などの開口部が多く、これらの隅部における応力集中が問題となる。これら応力集中部において引張側では永久変形、圧縮側では座屈変形を起こして最終的に破壊に至る。これに対する対策としては、引張側ではプレート状の外板横骨部材を内側に足して増厚し、応力を軽減することが考えられる。圧縮側も理論上は同様に対処が可能であるが、ステンレス構体ではいくつか問題がある。
【００１４】
(iii)第３の課題は、水密性である。
【００１５】
ステンレス構体の組立において多用される抵抗スポット溶接は重ね継手しか構成することができないため、外板どうし、あるいは外板と縁部材（窓枠、ドアマスクなど）との接合も重ね継手となる。
【００１６】
ところで、これらの継手では外部からの浸水を防ぐため、外部から浸水しない水密性を保つ工夫が必要であるが、重ね部で隙間を生じるのに加えスポット溶接は間欠的な接合法であるため、重ね部にあらかじめシール材をはさみ込んで溶接を行うことにより水密性を確保している。あるいは重ね端部に隅肉状にシール材を盛ることにより水密性を確保している。
【００１７】
しかし、風雨や洗車に伴うシール材の経年劣化によりシール切れが生じ、車内への浸水が発生するおそれがある。
(iv)第４の課題は、外板（側外板、妻外板）の美観性である。
【００１８】
ステンレス構体の組立において多用される抵抗スポット溶接は、施工時にスポット状に押圧を行うため、押圧力と入熱によりその周囲に歪みを生じ、また打点部には凹状の圧痕も生じるため、これらが外板の美観を損ねている。つまり、せっかく補強プレートをあてがっても、これを接合するためのスポット溶接が増え、圧接・入熱によるスポットまわりの歪みにより外板に初期歪みが生じ、かえって局部の座屈強度が低下させるおそれがある。かくして、車体中央の腰板下部や台車直上の戸袋板・幕板、および側開口隅部周辺では座屈が生じやすく、実際に座屈を生じている車両もあり、ステンレス構体の見映えを著しく悪化させている。とくに側外板、妻外板の美観を損ねることは製品価値を低下させることになる。
【００１９】
なお、スポット溶接による外板の「焼け」は電解処理により消すことが可能であるが、圧痕は深く、接合後の研磨等によって見えなくすることは困難である。また、カラーバンド（フィルム）により覆うこともできるが、覆っても、見る角度によっては、圧痕はさらに目立つことになりかねない。
(v)第５の課題は、内部骨組の煩雑さである。
【００２０】
内装、機器類を構体に取り付ける構造として、従来は主構造あるいは内部骨組（２次構造材）にネジ座を溶接付けしたり、あるいは取付金を別途設けたりすることにより対応していた。
【００２１】
これらの取付金、ネジ座はほとんどが車両毎の個別設計であり、構体への取り付け場所も車種、部位によってまちまちである。ネジ座、内部骨組、取付金等、部品点数が増し、部品製作、溶接付けに多大な工数を要している。また取り付け位置が標準化されていないので、取付けの寸法管理も煩雑である。
【００２２】
発明者は、外板と外板横骨部材との接合に、抵抗スポット溶接に代えて、レーザー溶接を利用すれば、前記課題を解決できることに着想し、レーザ溶接を利用した鉄道車両用構体を先に出願している（特願２００４−２０６３９０号参照）。
【特許文献１】特許第２７６３９８３号公報（段落００１４，００２０及び図４）
【発明の開示】
【発明が解決しようとする課題】
【００２３】
しかし、レーザ溶接を用いる場合に考えられる開口部近傍の構造は、開口部に生ずる応力集中を低減するために、例えば図２４（ａ）（ｂ）に示すように、シア（せん断力）を伝達しうる補強材（補強板）としてシアプレート１０３を、外板１０２ａ（外板パネル１０２Ａ（外板１０２ａの内側に外板横骨部材１０２ｂが配置されるもの）の外板１０２ａ）の内側であって開口部の周囲に接合する必要がある。それらを、外板パネル１０２Ａの開口部の周縁に沿って、溶融池の底部が外板パネル１０２Ａの外表面に達しないようにレーザ溶接しても、溶接線Ｌ１０１による歪みが外板１０２ａの外側面に現れ、開口部周辺の見栄えが悪い。このように開口部周辺の見栄えが悪くなる傾向は、外板の外側面に、前記レーザ溶接による溶接線方向とほぼ平行に研磨加工（例えば、鉄道車両のステンレス構体で一般に使用されているベルトグラインド仕上げ）を施している場合に特に顕著になる。これは、前記研磨方向と溶接線方向とが一致していると光の散乱の具合により溶接線による歪みがほとんど見えなくなるが、それらの方向が異なっていると光の散乱の具合により溶接線による歪みが目立つようになるためである。
【００２４】
従って、開口部の周囲をレーザ溶接で接合すると、必ず外板仕上げに直交する方向の溶接線が生じるため、この部分の見栄えが悪化することになる。また、リベットを用いて直線的に結合する場合にも、その接合線に対応する同様な歪みがあらわれ、見栄えが悪くなる。
【００２５】
また、外板横骨部材の溶接線Ｌ１０２は外板の仕上げ方向（研磨方向）に一致するので、溶接線による歪みＬ２０２はあまり目立たないが、その歪みＬ２０２の止端Ｐ２０２では外板１０２ａが同心円状に歪み、この歪みが目立つので、この部分付近で見栄えが悪くなる。
【００２６】
外板の肉厚を厚くすれば、溶接線による歪みが目立たなくなるようにするために有利であるが、軽量化の観点から、あまり厚くすることができないし、前記開口部が例えば窓ガラスを嵌める窓開口部であるような場合には、開口部周辺を外板一枚かそれに近い薄板構造にする必要があり、外板をあまり厚くすることができない。
【００２７】
そこで、発明者は、開口部を溶接線が水平方向（構体長手方向）に貫通する構造とすれば、そのような不具合を解決できることに着想し、本発明をなすに至ったものである。
【００２８】
本発明は、開口部周辺の見栄えをよくすることができる鉄道車両用側構体を提供することを目的とする。
【課題を解決するための手段】
【００２９】
請求項１の発明は、開口部を有する外板と、車両長手方向に配置され、前記外板の車内側に接合される取付フランジを有する複数の外板横骨部材と、前記外板の車内側であって、前記開口部の周縁に設けられるシアプレートとを備え、前記複数の外板横骨部材のうち、前記開口部に向かって延在する外板横骨部材の端部が、前記シアプレートの端部に突き当てられ、前記開口部に向かって延在する外板横骨部材の取付フランジと前記シアプレートとは、前記外板に対して車両長手方向に連続して溶接される、ことを特徴とする。ここで、シアプレートとは、外板に重ねられる板で、主として面内せん断を伝達するものである。開口部は、例えば表示灯、表示機器などを設ける開口部を意味するが、窓枠がない窓部も含む。接合には、レーザ溶接のほか、スポット溶接、プラグ溶接、隅肉溶接等の溶接や、リベット結合が含まれる。
【００３０】
このようにすれば、前記複数の外板横骨部材のうち、前記開口部に向かって延在する外板横骨部材の端部が、前記シアプレートの端部に突き当てられ、前記開口部に向かって延在する外板横骨部材の取付フランジと前記シアプレートとは、外板に対して車両長手方向に連続して溶接されるので、縦方向（上下方向）の接合線をなくすとともに、接合線の止端をなくし、開口部周辺の見栄えを向上させることができる。
【００３２】
この場合、請求項２に記載のように、前記外板横骨部材の前記取付フランジ部と前記シアプレートとは、同じ板厚である、構成とすればよい。ここで、外板横骨部材の形状は、特に制限されず、断面Ｚ形状でも、断面ハット形状でもよい。
請求項３に記載のように、前記外板は、車両長手方向に研磨加工が施され、前記外板横骨部材の前記取付フランジと前記シアプレートとは、前記外板に対してレーザ溶接により接合され、前記レーザ溶接による溶接線が、前記取付フランジ及び前記シアプレートにおいて車両長手方向に沿って連続的に延びる、構成とすることができる。
このようにすれば、レーザ溶接による溶接線の方向と研磨方向とが車両長手方向で一致することになり、光の散乱の具合により接合線による歪みをほとんど見えなくすることができる。
【００３３】
請求項４に記載のように、前記シアプレートに対して車内側であって、前記開口部周縁に設けられる補強枠部材をさらに備え、前記外板横骨部材は、前記取付フランジ部と、前記外板に対して離間する頭部とを有し、前記補強枠部材は、前記開口部の周縁に設けられる外枠部と、前記外枠部から連続して形成され前記外板に対して略直交方向に延びる接続枠部と、前記接続枠部から連続して形成され前記外板に対して略平行に延びる内枠部とを有し、前記複数の外板横骨部材のうち、前記開口部に向かって延在する外板横骨部材の前記頭部と、前記補強枠部材の前記内枠部とが接合される、ことが望ましい。
【００３４】
このようにすれば、外板横骨部材の上に補強枠部材を載せる形で、シアプレートのみでは強度が不足する場合に対応することが可能となる。
【００３５】
請求項５に記載のように、前記補強枠部材の前記外枠部と前記シアプレートとの間には、空間部が形成されている、ことが望ましい。
【００３６】
このようにすれば、外枠部を外板に接合しないことで、接合線に対応する歪みが外板に形成されるのが回避される。
【００３７】
請求項６に記載のように、前記補強枠部材の前記外枠部と前記シアプレートとの間には、焼け止め部材が設けられている構成とすることも可能である。
【００３８】
このようにすれば、焼け止め部材により、外枠部を外板に接合する場合に、熱影響により外板が歪むのが回避される。
【００３９】
請求項７に記載のように、前記補強枠部材の前記外枠部は、前記シアプレートに接合されている構成とすることも可能である。
【００４０】
このようにすれば、シアプレートを焼け止め部材として機能させることができ、構造が単純で、施工が容易である。
【００４１】
請求項８に記載のように、前記シアプレートのうち、前記開口部に向かって延在する外板横骨部材の端部と前記開口部との間であって、前記外板横骨部材の前記頭部の幅に対応する部分が、車内側に突出する、構成とすることも可能である。
【００４２】
このようにすれば、車内側に突出する部分によって、剛性が高められるとともに、前記外板横骨部材の前記頭部の幅に対応する部分が外板に接触しないようになるので、外板の、熱影響による歪みを抑制することができる。
【００４３】
シア（せん断力）の伝達を悪化させることなく、外板に対する、接合の影響による歪みを抑制するためには、前記外板横骨部材の前記頭部に対応する部分全体を浮き上がり部とする必要はなく、請求項９に記載のように、前記補強枠部材の前記外枠部は、前記シアプレートに接合され、前記シアプレートは、前記外枠部が接合される部分だけ前記外板から離れて浮き上がった中空突部を有する、構成としてもよい。この場合、外板横骨部材の本体部に対応する部分に中空突部を設ける必要はない。
【００４４】
また、請求項１０に記載のように、前記シアプレートのうち、前記開口部に向かって延在する外板横骨部材の端部と前記開口部との間であって、前記外板横骨部材の前記頭部の幅に対応する部分の厚さが、当該部分以外よりも厚い厚肉部である、構成としてもよい。
【００４６】
請求項１〜１０の鉄道車両用側構体の製造は、次の請求項１１の発明により簡単に実現することができる。
【００４８】
請求項１１の発明は、開口部を有する外板と、車両長手方向に配置される外板横骨部材と、前記開口部の周縁に設けられるシアプレートとを備えた鉄道車両用側構体の製造方法であって、前記外板に前記開口部を形成し、形成された前記開口部の周縁でかつ車内側に前記シアプレートを配置し、前記開口部に向かって延在する前記外板横骨部材の端部を、前記シアプレートの端部に突き当てて、当該外板横骨部材を配置し、車両長手方向に沿って、前記外板横骨部材から前記シアプレートを経て少なくとも前記開口部へ至るように連続的にレーザビームを照射して、前記外板と前記外板横骨部材、前記外板と前記シアプレートとを接合する、ことを特徴とする。
このようにすれば、車両長手方向に沿って連続的にレーザビームを照射することにより、外板と外板横骨部材との接合、及び外板とシアプレートとを接合し、かつ溶接線の止端をなくすことができる。これにより、止端による外板の歪みを無くすことができ、開口部周辺の見栄えを向上させることができる。
【発明の効果】
【００５４】
本発明は、上記のように、複数の外板横骨部材のうち、外板の開口部に向かって延在する前記外板横骨部材の端部を、シアプレートの端部に突き当て、前記開口部に向かって延在する前記外板横骨部材の取付フランジと前記シアプレートとを、前記外板に対して車両長手方向に連続して溶接しているので、縦方向（上下方向）の接合線や横方向の接合線の止端を開口部周辺からなくし、開口部周辺の見栄えを向上させることができる。
【発明を実施するための最良の形態】
【００５５】
以下、本発明の実施の形態を図面に沿って説明する。
【００５６】
図１は本発明に係る一実施の形態である鉄道車両用構体を示す斜視図、図２は外板と外板横骨部材との関係を示す説明図である。
【００５７】
図１に示すように、鉄道車両用構体１１は、左右の側構体１２と、屋根構体１３と、前後の妻構体１４と、台枠１５とを備える。側構体１２は、外板３と、その外板３の内側に水平方向（車体前後方向）に延びるように配置される外板横骨部材としての外板横骨部材４Ａ，４Ｂとを有し、それらがレーザ溶接手段を用いてレーザ溶接にて接合されている。なお、屋根構体１３及び妻構体１４も同様である。
【００５８】
この外板横骨部材４Ａ（４Ｂ）は、断面コの字形状の本体部４Ａａと、その本体部４Ａａの両端縁に連続して互いに反対方向に延びる取付フランジ部４Ａｂ，４Ａｃとを有し、断面ハット形状に構成され、この取付フランジ部４Ａｂ，４Ａｃの部分において外板３にレーザ溶接される。なお、この外板３の内面側に外板横骨部材４Ａ，４Ｂを接合するレーザ溶接は、溶融池の底部が外板３の外側面に到達しないようにするために、部分溶け込みレーザ溶接が用いられる。
【００５９】
外板３は、外側面にレーザビームによる溶接線方向とほぼ平行に研磨加工が施され、レーザビームによる溶接線方向と外側面についての研磨加工方向（表面研削仕上げ方向）とがほぼ同じ方向となっている表面研磨材が用いられる。「研磨加工」は、ベルトグラインダによるベルトグラインド（ＢＧ）仕上げといわれるもので、「ＪＩＳ Ｒ ６００１」で規定される砥粒を接着したベルトを回転させ鋼板の表面を一方向に断続的に（不連続に）研磨することにより仕上げるものである（「ＪＩＳ Ｇ ４３０５」でＮｏ．３やＮｏ．４なる記号で示される表面仕上げに該当する）。
【００６０】
レーザー溶接に用いられるレーザ照射装置は、具体的には図示していないが、多関節ロボットの手首に取付けられる。この多関節ロボットは、複数軸（たとえば６軸）を有し、溶接されるべき薄板（例えば外板３）が固定された状態で、予め定める溶接線Ｌ１１（図２参照）に沿ってレーザ照射装置を移動させることができるものである。レーザ照射装置は、重ねレーザ溶接を行うもので、レーザ集光器と押圧手段としての押さえローラとが一体に取付けられ、押さえローラＲが溶接線Ｌ１１に沿って移動してワークの溶接位置近傍を押圧しつつ、レーザ集光器からレーザビームＢを溶接位置に照射することで、重ね部分の密着性を確保しつつ、レーザビームＢの焦点距離を正確に保つことができる構成とされている。
【００６１】
また、外板３の開口部（窓開口部２４、ドア開口部２５）の周縁に設けられる後述するドアフレーム１（窓枠、ドアマスクなど）と外板３との接合も、連続レーザ溶接により行われている。継手は重ね継手でも突合せ継手でもよい。なお、具体的に図示していないが、外板どうしの接合も連続レーザ溶接により行われている。
【００６２】
そして、図２に示すように、外板横骨部材４Ａは、レーザ溶接（溶接線Ｕ）の間隔Ｓ１を８０mm（ハット幅Ｓ２＝５０mm）とすることで、外板横骨部材４Ａのピッチ８０mmを実現している。他の部位も同様にして外板横骨部材４Ｂのハット幅（７０mm）とレーザ溶接の間隔（１００mm）を決定した。隣り合う外板横骨部材４Ａ，４Ｂのレーザ溶接の間隔Ｓ３は、５０〜１００mmである。ただし、外板３の部位ごとに横骨部材の断面形状を決定していくと、横骨部材に多くの種類が生じるので、外板横骨部材の断面形状は、この実施の形態では、上記２種類に限定している。外板横骨部材４Ａ，４Ｂの高さＨ１は２５mmであるが、これは側構体１２の外板３の全体座屈強度から決定したものである。なお、レーザ溶接の間隔Ｓ１は、基本的には外板厚と座屈強度とから決定され、間隔が小さいほど座屈には強くなるが、あまり小さいとレーザ溶接の溶接線の数が多くなりすぎる一方、あまり広いとわずかの荷重にも座屈してしまうので、実際には６０〜１２０mmの範囲であるが、部品製作、見栄え的にもよくバランスする望ましい値は、Ｓ１＝９０〜１００mmである。
【００６３】
かくして、窓開口部２４の隅部、ドア開口部２５の上隅部付近に設けられる外板横骨部材４Ａのハット幅Ｓ２（コの字部分の幅）は５０mm、その他の部位に設けられる外板横骨部材４Ｂのハット幅は７０mmとして、側構体が形成されている。よって、作用する応力の高く荷重負担が大きい窓開口部２４の隅部、ドア開口部２５の上隅部付近に設けられる外板横骨部材４Ａのハット幅を、その他の部位に設けられる外板横骨部材４Ｂのハット幅よりも小さくしている。なお、構体長手方向に直交する方向の面外曲げについては別途設けた縦骨部材により補強することになる。
【００６４】
ところで、側構体１２は、側構体１２を複数のユニットに分割して製造し、それらユニットを別々に製造した後にそれらユニットをレーザ溶接により接合して側構体とされる。具体的には、図３（ａ）（ｂ）に示すように、幕板部２１Ａａ，２１Ｂａを含む側ユニット２１Ａ，２１Ｂおよびドアフレーム２３を別々に製造し、その後、それらをレーザ溶接にて結合し、側溝体１２とするものである。側ユニット２１Ａ，２１Ｂはレーザ溶接を用いて組立てられる。ドアフレーム２３の結合方法もレーザ溶接である。側ユニット２１Ａ，２１Ｂの幕板部２１Ａａ，２１Ｂａどうしの結合方法はレーザ溶接、あるいはアーク溶接である。
【００６５】
また、例えば、前述した側ユニット２１Ａの組立方法は、図４に示すように、側外板３を幕板３１Ａ、吹寄板３１Ｂ、腰板３１Ｃに分割し、それぞれの板３１Ａ〜３１Ｃに外板横骨部材３２Ａ〜３２Ｃ（外板横骨部材３２Ｂは図面上１つであるが複数の外板横骨部材４Ａに対応し、外板横骨部材３２Ａ，３２Ｃも図面上１つであるが複数の外板横骨部材４Ｂに対応している）をレーザ溶接にて接合することで、幕板パネル３３Ａ、吹寄板パネル３３Ｂ、腰板パネル３３Ｃを製作する。
【００６６】
このとき、例えば図５（ａ）〜（ｄ）に示すように、幕板３１Ａと外板横骨部材３２Ａのフランジ部とで重ね継手が構成されており、幕板３１Ａに対し外板横骨部材３２Ａ側からの部分溶け込みレーザ溶接により両者が接合される。板３１Ｂ，３１Ｃと外板横骨部材３２Ｂ，３２Ｃのフランジ部との接合も同様である。なお、窓枠（図示せず）は同様にしてあらかじめ吹寄板３１Ｂにレーザ溶接により接合しておく。
【００６７】
吹寄板３１Ｂの下端縁、および幕板３１Ａの下端縁にはせぎり部が設けられており、吹寄板３１Ｂの下端縁のせぎり部と腰板３１Ｃの上端、および幕板３１Ａの下端と吹寄板３１Ｂの上端とで重ね継手を形成し、この部分をレーザ溶接することにより側ユニット２１Ａを形成する（図６参照）。
【００６８】
さらに前記重ね継手部に位置する腰帯３５、幕帯３４をレーザ溶接により外板３に接合する（図７参照）。このとき腰帯３５、幕帯３４の存在により、幕板パネル３３Ａと吹寄パネル３３Ｂ、あるいは吹寄パネルと腰板パネルのレーザ溶接による施工に支障がないように幕帯３４、腰帯３５を配置することができれば、幕帯３４、腰帯３５をあらかじめ吹寄板３１Ｂに接合しておくこともできる。
【００６９】
次に戸先柱部材３６Ａ、戸尻柱部材３６Ｂ、間柱部材３６Ｃの各柱部材を外板横骨部材３２の頭部にレーザ溶接により接合する（図４，図５（ｄ）、図７参照）。このとき短尺の溶接線であってもよいし、あるいはリング状の溶接線ならばさらに接合強度が安定する。
【００７０】
最後に、強度上の必要に応じて、腰帯３５、幕帯３４と戸尻柱部材３６Ｂの結合部およびその近傍にガセット３８Ａ〜３８Ｄをレーザ溶接にて接合して側ユニット２１Ａを完成させることができる（図８参照）。
【００７１】
そして、前述したところの側構体１２の製造方法は、屋根構体１３、妻構体１４、台枠１５の製造にも適用することができる。例えば、屋根構体１３の場合は、屋根外板どうしを連続レーザ溶接により接合した後、垂木と屋根外板を外板側からのレーザ溶接により接合した適当な大きさの屋根ユニットを用いる。このとき屋根構体では高度な美観を要求されないので、レーザ溶接は貫通溶接でも部分溶け込み溶接でもよい。台枠１５の場合は、側梁と横梁とをガセットを介してレーザ溶接もしくは抵抗スポット溶接にて接合して枠組を製作した後、キーストンプレートの床板と横梁とを床板側からのレーザ溶接により接合した適当な大きさの台枠ユニットを用いる。このとき台枠下部および床板面は、車体完成後は死角もしくは隠蔽部となり美観の要求はないので、レーザ溶接は貫通溶接でも部分溶け込み溶接でもよい。
【００７２】
そして、これら左右の側構体１２、屋根構体１３、妻構体１４および台枠１５が接合されて、鉄道車両用構体１１が組み立てられる。
【００７３】
続いて、本発明の特徴点である、表示灯などの開口部周辺の構造について、さらに説明する。以下の説明においては、窓開口部２４上側の幕部に設けられ行先表示器（図示せず）が設けられる矩形状の開口部２６について説明するが、そのほか、前記幕部に位置し非常灯（図示せず）が設けられる円形状の開口部２７、半自動ドアスイッチ（図示せず）が設けられるドア開口部の横の開口部２８、ドアコック（図示せず）が設けられる腰部の開口部２９等にも同様に適用することができる。
【００７４】
図９（ａ）に示すように、矩形状の開口部２６周縁の内側には、開口部２６に対応する形状を有する枠形状のシアプレート４１が設けられている。このシアプレート４１は、外板横骨部材４Ａと同じ肉厚を有するので、外板横骨部材４Ａ（取付フランジ部４Ａａ）とシアプレート４１とが連続する部分は段差がなく、連続してレーザ溶接されている。
【００７５】
このようにすれば、図９（ｂ）に示すように、外板横骨部材４Ａからのレーザ溶接線Ｌ１１が、開口部２６の部分を貫通して、連続することになるので、外板仕上げに直交する方向の溶接線がなくなるとともに、溶接線の止端もなくなる。よって、外板の表面に現れる溶接線Ｌ１１による歪みＬ２１が目立たなくなるので、開口部周辺の見栄えを向上させることができる。
【００７６】
また、この場合、外板３に対し、その内側に、構体長手方向に延び外板３を補強する外板横骨部材４Ａをレーザ溶接手段を用いるレーザ溶接により接合する場合には、図１０に示すように、外板３に対し外板横骨部材４Ａをレーザ溶接した後、外板横骨部材４Ａ毎に、必要とする開口部に対応する部分Ｕ１を例えばプラズマ切断やレーザ切断により取り除くことで、所定の形状の開口部を有する外板パネルが得られる。この場合、後で打ち抜かれる開口部のコーナ部となる部分Ｕ１１に予め切り込みや切り欠きを設けておき、続く打ち抜き加工が容易になるように構成することも可能である。また、必要とする開口部に対応する部分及びその近傍の外板横骨部材を予め切り取っておくこともできる。
【００７７】
さらに、開口部２６周囲に薄板構造部を必要とする場合には、図１１に示すように、外板横骨部材４Ａの本体部４Ａａの一部を切り取って（切り取り部分Ｕ１２参照）、薄板構造とすることも可能である。
【００７８】
前記実施の形態は、次のように変更することも可能である。
(i)シアプレート４１だけで強度が不足する場合には、例えば図１２に示すように、開口部２６に対応する開口を有する環状の補強枠部材５１を配設することができる。この補強枠部材５１は、外板３の内側に位置するとともに、外板３と平行に延び外板横骨部材４Ａの本体部４Ａａに溶接される板状の内枠部５１Ａと、この内枠部５１Ａの内周縁より外方に延びる板状の接続枠部５１Ｂと、この接続枠部５１Ｂの外周縁より内枠部５１Ａと平行に延び開口部２６に対応する開口を有する板状の外枠部５１Ｃとを有する構成とすることができる。この場合、外枠部５１Ｃは、図１３（ａ）に示すように、シアプレート４１との間に空間部Ｓが形成され、外枠部５１Ｃを外板３に接合しないことで、溶接熱が外板３に及ぶのが回避される構成としている。
【００７９】
また、空間部とすることなく、図１３（ｂ）に示すように、外枠部５１Ｃは、シアプレート４１との間にやけ止め部材５２を設けることも可能である。また、図１４に示すように、外枠部５１Ｃは、シアプレート４１に内周縁の一部Ｌ１２が溶接され、それの円形状の開口においてプラグ溶接されている（溶接部分Ｐ３０１参照）構成とすることも可能である。
(ii)前記実施の形態では、平板状のシアプレート４１を用いているが、溶接熱が外板３に及ぶのを回避するために、例えば図１５に示すように、シアプレート４１Ａが、外板横骨部材４Ａの本体部に対応する部分が浮き上がった浮き上がり部４１Ａａを有する構成としたり、図１６に示すように、シアプレート４１Ｂは、外枠部５１Ｃが溶接される部分だけ浮き上がった浮き上がり部４１Ｂａを有する構成とすることも可能である。また、図１７に示すように、前記焼け止め部材５２Ａは、外板横骨部材３の本体部に対応する部分に対応する大きさの焼け止めブロックで、シアプレート４１に、ビス止めなどにより予め接合されている構成としてもよいし、例えば図１８に示すように、シアプレート４１Ｃは、前記外板横骨部材の本体部に対応する部分だけ厚肉部４１Ｃａとされている構成とすることも可能である。これら図１５〜図１８に示す場合にも、外枠部５１Ｃの開口においてプラグ溶接されている（溶接部分Ｐ３０１参照）。
(iii)前記実施の形態では、外板に対し外板横骨部材をレーザ溶接した後、必要とする開口部に対応する部分を取り除くことで、所定の形状の開口部を有する外板パネルを得るようにしているが、図１９に示すように、外板３に対し外板横骨部材４Ａを連続的に溶接する前に、必要とする開口部に対応する部分Ｕ１の外板横骨部材４Ａおよびその部分近傍の外板横骨部材４Ａを取り除き、その取り除いた部分にシアプレート４１を配置し、外板３に対する外板横骨部材４Ａの連続溶接後に、前記必要とする開口部に対応する部分を外板３およびシアプレート４１から一緒に取り除くことも可能である。なお、後で取り除かれる開口部のコーナ部となる部分Ｕ１１に予め切り込みや切り欠きを設けておく点は図１０に示す場合と同様である。
【００８０】
また、図２０に示すように、開口部２６となる部分に対応する開口を有するシアプレート４１を配置するとともに、シアプレート４１の前記開口内であって連続的に溶接される一部に対応する部位につまり溶接線Ｌ１１が形成されることになる部位に、シアプレート４１と同じ板厚のダミープレート４２を設けておき、外板３に対する外板横骨部材４Ａの連続レーザ溶接後に、ダミープレート４２を、外板３から前記必要とする開口部を取り除く際に一緒に取り除く構成とすることもできる。
【００８１】
さらに、前記外板に対し前記外板横骨部材をレーザ溶接する前に、図２１に示すように、必要とする開口部に対応する部分及びその近傍に位置する外板横骨部材４Ａを取り除いておき、その取り除いた部分に、外板横骨部材４Ａに対応する凸形状を有するアダプタユニット４３（銅ブロックなどで相反骨部材を擬装したもの）を配置し、外板３に対する外板横骨部材４Ａの連続溶接後に、アダプタユニット４３を取り除く構成とすることも可能である。この場合は、レーザ溶接手段は、高さ方向に変位させることなく、溶接動作を行うことができる。なお、アダプタユニットは、溶接されず、アダプタユニットを取り去ると、必要部分のみ溶接されている状態となる。
(iv)前記実施の形態においては、溶接手段としては、部分溶け込みレーザ溶接、すなわち複数の板状部材を重ね合せ、その面外方向からレーザビームを移動しながら連続的に照射し、レーザビームを照射した板状部材の反対側に位置する板状部材の内部までの領域を加熱溶融して、それにより生じた溶融池の底部が前記反対側の板状部材の外側面に到達しないように、レーザビームの出力またはビーム移動速度を制御しながら前記複数の板状部材を接合するレーザ溶接を行うものを用い、前記反対側の板状部材の外側面に対応する外板の外側面に、予め前記レーザビームよる溶接線方向とほぼ平行に研磨加工が施されているものを用いたものについては説明しているが、本発明は、溶接手段については特に制限されず、外板も前述したような研磨加工が施されているものに制限されない。
【図面の簡単な説明】
【００８２】
【図１】本発明に係る一実施の形態である鉄道車両用側構体を示す斜視図である。
【図２】外板と外板横骨部材との関係を示す説明図である。
【図３】（ａ）（ｂ）はそれぞれ側構体の組立方法の説明図である。
【図４】本発明に係る鉄道車両の側構体を組み立てる手順の一例を示す説明図である。
【図５】（ａ）はレーザ溶接継手の原理の説明図、（ｂ）〜（ｄ）はそれぞれ外板の説明図である。
【図６】本発明に係る鉄道車両の側構体を、車外側から見た状態を示す図である。
【図７】同鉄道車両の側構体を、車内側から見た状態を示す図である。
【図８】同鉄道車両の側構体を、車内側から見た状態を示す斜視図である。
【図９】（ａ）（ｂ）はそれぞれ本発明に係る鉄道車両の側構体において、開口部周辺の構造を示す断面図である。
【図１０】別の実施の形態についての説明図である。
【図１１】別の実施の形態についての説明図である。
【図１２】別の実施の形態についての説明図である。
【図１３】（ａ）は図１２のＡ−Ａ線における断面図、（ｂ）は別の実施の形態についての図１３（ａ）と同様の図である。
【図１４】別の実施の形態についての説明図である。
【図１５】別の実施の形態についての説明図である。
【図１６】別の実施の形態についての説明図である。
【図１７】別の実施の形態についての説明図である。
【図１８】別の実施の形態についての説明図である。
【図１９】本発明に係る溶接方法の説明図である。
【図２０】本発明に係る溶接方法の説明図である。
【図２１】本発明に係る溶接方法の説明図である。
【図２２】（ａ）（ｂ）はそれぞれ従来のステンレス構体の説明図である。
【図２３】（ａ）（ｂ）はそれぞれ従来の鉄道車両用構体の変形の状態の説明図、（ｃ）は従来の外板と外板横骨部材との関係を示す説明図である。
【図２４】（ａ）（ｂ）はそれぞれ、レーザ溶接を用いる場合に考えられる開口部近傍の構造を車体内方側、車体外方側から見た状態を示す斜視図である。
【符号の説明】
【００８３】
Ｂ レーザビーム
Ｒ 押さえローラ
３，１０２，１０２ａ 外板
４Ａ，４Ａ’，４Ｂ，１０１，１０２ｂ 外板横骨部材
４Ａａ 本体部
２４ 窓開口部
２５ ドア開口部
２６〜２９ 開口部
４１，４１Ａ，４１Ｂ，４１Ｃ，１０３ シアプレート
４１Ａａ，４１Ｂａ 浮き上がり部
４１Ｃａ 厚肉部
４２ ダミープレート
４３ アダプタユニット
５１ 補強枠部材
５１Ａ 内枠部
５１Ｂ 接続枠部
５１Ｃ 外枠部
５２，５２Ａ 焼け止め部材
【図１】
0004804104.tif 000002
【図２】
0004804104.tif 000003
【図３】
0004804104.tif 000004
【図４】
0004804104.tif 000005
【図５】
0004804104.tif 000006
【図６】
0004804104.tif 000007
【図７】
0004804104.tif 000008
【図８】
0004804104.tif 000009
【図９】
0004804104.tif 000010
【図１０】
0004804104.tif 000011
【図１１】
0004804104.tif 000012
【図１２】
0004804104.tif 000013
【図１３】
0004804104.tif 000014
【図１４】
0004804104.tif 000015
【図１５】
0004804104.tif 000016
【図１６】
0004804104.tif 000017
【図１７】
0004804104.tif 000018
【図１８】
0004804104.tif 000019
【図１９】
0004804104.tif 000020
【図２０】
0004804104.tif 000021
【図２１】
0004804104.tif 000022
【図２２】
0004804104.tif 000023
【図２３】
0004804104.tif 000024
【図２４】
0004804104.tif 000025